(57)【特許請求の範囲】
【請求項１】
雨樋等と接続した竪樋（１）の適所にバイパス管（２）を接続すると共に、該バイパス管（２）の取出口下端に近接する竪樋（１）の内壁に弁座（１１）を設け、また弁座（１１）の下方に弁体（１２）を配設すると共に該弁体（１２）を弾性体（１３）で押し上げて弁座（１１）に下方から当接・離反するように配設し、また竪樋（１）の下端に貯水槽（３）に接続し、該貯水槽（３）は槽内が仕切り板（４）で上下に区分されると共に該仕切り板（４）の上方に上部貯水室とその下方に下部貯水室とが設けられた構成からなり、前記仕切り板（４）に多数の貫通孔（４１）が設けられて各貫通孔（４１）の周縁に筒状フィルター（５）が立ち上げられており、該筒状フィルター（５）はゼオライト固体粒子に銀、銅等の金属イオンを担持させたものを超高分子量ポリエチレンに添加してから焼結成形して無数の微細孔を形成したものであって、上部貯水室に流入した雨水が筒状フィルター（５）を通過するとき雨水に混入している塵埃等が無数の微細孔で濾過されると共に、微細孔等から露出したゼオライト固体粒子と接触して殺菌されてから下部貯水室に流入するようになしたことを特徴とする雨水貯溜装置。
【発明の詳細な説明】
【０００１】
【発明の属する技術分野】
本発明は、土砂等の夾雑物が混入している初期雨水を排除できると共に、土砂等の夾雑物の混入が少ない本格降雨時の雨水を捕集でき、また貯水槽に導いた雨水を殺菌して長期間に亘って藻類や雑菌の繁殖を未然に防止できる雨水の貯溜装置に関する。
【０００２】
【従来の技術】
近年、軒樋等で捕集した雨水を貯水槽に導いて貯溜し、この雨水をトイレの水洗や洗車を行なう際の用水として使用したり、庭木や花壇への散水、あるいは非常災害時の用水として使用することが行われている。例えば、図２に示した如く、軒樋ａで捕集した雨水を貯水槽ｂに導き、貯水槽ｂに貯溜された雨水を適宜取り出して使用している。
【０００３】
【発明が解決しようとする課題】
ところが、軒樋等で捕集した初期雨水には、大気中に浮遊していた塵埃や、建物の屋根等に堆積していた土砂等が混入しているため、雨水の使用目的によっては一度濾過してからでないと使用できないということがあった。そこで、軒樋等で捕集した雨水を沈澱槽に導き、土砂、塵埃等の夾雑物を沈降分離することも行なわれているが、一般家庭に沈澱槽を設置するには設置スペースの問題があり、またその保守点検にも手間がかかるという問題があった。
【０００４】
また、雨水を沈澱槽に導いても除去できるものは、比較的比重の大きな土砂等だけであって、比重の小さな大気中に浮遊していた塵埃等は除去できないという問題があった。
【０００５】
更には、雨水を貯水槽で長期間に亘って貯溜する場合には、雨水に混入している有機物によって藻類や雑菌が繁殖するという安全衛生上の問題があった。
【０００６】
本発明は、かかる課題を解決したものであって、土砂等の夾雑物が混入している初期雨水を排除できると共に、土砂等の夾雑物の混入が少ない本格降雨時の雨水を捕集して殺菌し、長期間に亘って藻類や雑菌の繁殖を未然に防止できる雨水の貯溜装置を提供するものである。
【０００７】
【課題を解決するための手段】
本発明は、雨樋等と接続した竪樋の適所にバイパス管を接続すると共に、該バイパス管の取出口下端に近接する竪樋の内壁に弁座を設け、また弁座の下方に弁体を配設すると共に該弁体を弾性体で押し上げて弁座に下方から当接・離反するように配設し、竪樋の下端に貯水槽に接続したものである。
【０００８】
前記貯水槽は槽内が仕切り板で上下に区分されると共に該仕切り板の上方に上部貯水室とその下方に下部貯水室とが設けられた構成からなり、前記仕切り板に多数の貫通孔が設けられて各貫通孔の周縁に筒状フィルターが立ち上げられている。
【０００９】
前記筒状フィルターはゼオライト固体粒子に銀、銅等の金属イオンを担持させたものを超高分子量ポリエチレンに添加してから焼結成形して無数の微細孔を形成したものであって、上部貯水室に流入した雨水が筒状フィルターを通過するとき雨水に混入している塵埃等が無数の微細孔で濾過されると共に、微細孔等から露出したゼオライト固体粒子と接触して殺菌されてから下部貯水室に流入するようになしたことを特徴とする。
【００１０】
【発明の実施の形態】
以下、本発明の実施の形態を図面にて詳細に説明する。
図１は本発明の一実施例を示す貯溜装置の概略断面図であって、図中の１は竪樋、２はバイパス管、３は貯水槽である。
【００１１】
竪樋１の上端は図示しない雨樋等と接続しており、竪樋１の下端は貯水槽３に接続している。また、竪樋１の適所にバイパス管２が接続しており、該バイパス管２の取出口下端に近接する竪樋１の内壁に弁座１１が設けられている。弁座１１の下方には弁体１２が配設されており、該弁体１２はコイルスプリング等の弾性体１３で押し上げられて弁座１１に下方から当接している。１４は前記弾性体１３を下方からサポートする支持棒であって、図示されていないが支持棒１４を上下に動かして固定することによって、弁体１２を弁座１１に押し付ける弾性体１３の付勢力を調整できるようになっている。
【００１２】
通常、弾性体１３の付勢力は次のように設定されている。即ち、竪樋１内を初期雨水が緩かに流下するとき、弁体１２は弾性体１３の付勢力によって弁座１１に押し付けられて閉じられるように設定されており、竪樋１内を流下する初期雨水はバイパス管２から排出される。そして、本格降雨時に大量の雨水が竪樋１内を勢いよく落下するとき、弾性体１３の付勢力を超える雨水の落下水圧を受けて弁体１２が下降し、雨水は竪樋１内を垂直に落下して貯水槽３に流入するように設定されている。
【００１３】
貯水槽３は方形状あるいは円筒状であって、該貯水槽３の内部は仕切り板４で上下に区分されており、該仕切り板４の上方に上部貯水室３ａとその下方に下部貯水室３ｂとが設けられている。即ち、仕切り板４の周縁部は立ち上げられており、その上端鍔部４３が貯水槽３の内壁に周設された支持桟３３に支持されて仕切り板４の上方に上部貯水室３ａ、下方に下部貯水室３ｂが設けられている。また、仕切り板４には多数の貫通孔４１が設けられており、各貫通孔４１の周縁に筒状フィルター５が垂直に立ち上げられている。また、貯水槽３の開口上部は天板６で覆われており、該天板６に設けた貫通孔に竪樋１の下端が接続している。
【００１４】
前記筒状フイルター５は、粒径が１〜３μｍのゼオライト固体粒子に銀，銅等の金属イオンを担持させたものを超高分子量ポリエチレンに添加し、焼結成形して円筒状に形成したプラスチックフイルターが使用できる。筒状フイルター５の円筒壁には孔径が５０〜３００μｍ程度の無数の微細孔が形成されており、円筒壁の内外周面及び無数の微細孔にはゼオライト固体粒子が露出した状態となっている。
【００１５】
このようなプラスチックフィルターは微細孔の空隙率が大きいため目詰まりが起こり難く長期間の使用が可能であり、微細孔の孔径が５０〜３００μｍ程度であると、５０〜３００μｍ以上の塵埃や砂等の夾雑物が効率的に捕捉できる。通常、筒状フィルター５は外径が５０〜１００ｍｍ、長さが３００〜１，０００ｍｍのものが好適に使用できる。仕切り板４から立ち上げられた各筒状フィルター５の上端部は貯水槽３の側壁上部に設けたオーバフロー口３１よりも若干高くなっており、上部貯水室３ａに流入した雨水が筒状フィルター５を通過しないで下部貯水室３ｂに流入しないようになっている。一方、貯水槽３の側壁下部には浄化された雨水の流出口３２が設けられている。
【００１６】
本発明の貯溜装置は以上の構成からなるものであって、建物の屋根等に降った雨水は軒樋等で捕集されて竪樋１内を流下する。初期雨水は竪樋１内を緩かに流下するため、弁体１２は弾性体１３の付勢力によって弁座１１に当接している。このため、大気中に浮遊していた塵埃や、建物の屋根等に堆積していた土砂等が混入している初期雨水はバイパス管２から排出される。そして、本格降雨時に大量の雨水が竪樋１内を勢いよく落下するとき、弾性体１３の付勢力を超える雨水の落下水圧を受けて弁体１２が下降し、比較的清澄な雨水が竪樋１内を落下して貯水槽３に流入する。
【００１７】
次に、上部貯水室３ａに流入した雨水が筒状フィルター５の円筒壁を通過するとき、無数の微細孔によって雨水に混入している塵埃等が捕捉されると共に、筒状フィルター５の円筒壁を通過するとき、無数の微細孔等から露出したゼオライト固体粒子と接触して殺菌される。このため、雨水が長期間に亘って貯水槽３に貯溜されることがあっても、藻類や雑菌が繁殖することがない。
【００１８】
この雨水の浄化工程において、筒状フイルター５が目詰りを起こしたとき、筒状フイルター５を新しいものと交換するか、洗浄して再使用することになる。このとき、天板６を取り外して仕切り板４と共に多数本の筒状フイルター５を一体的に取り外して新しいものと交換するか、洗浄して再使用する。この様にすると、多数本の筒状フイルター５を短時間のうちに簡単に交換したり、洗浄することができる。また、筒状フイルターの交換や洗浄の際に、貯水槽内の補修、点検・清掃作業等を行なうこともできる。
【００１９】
【発明の効果】
以上詳述した如く、本発明の雨水の貯溜装置を使用すると、大気中に浮游していた塵埃や、建物の屋根等に堆積していた土砂等が混入している初期雨水を排除できるので、雨水の浄化処理が効率的に行える。そして、本格降雨時の比較的清澄な雨水を貯水槽に導き、無数の微細孔を有する筒状フイルターで濾過すると共に、微細孔等から露出したゼオライト固体粒子で殺菌するので、雨水が長期間に亘って貯水槽に滞留しても藻類が発生したり、雑菌が繁殖することもない。
【００２０】
また、貯水槽内に設置された多数本の筒状フイルターを仕切り板と共に一体的に取り外すことができるので、筒状フイルターの交換や洗浄作業が短時間のうちに簡単に行なえ、これと同時に貯水槽内の補修、点検・清掃作業等も行なうことができる。更には、仕切り板の形状、大きさ等を変えることによって、サイズが異なる各種の貯水槽に使用できる。
【図面の簡単な説明】
【図１】図１は本発明の一実施例を示す雨水の貯溜装置の概略断面図である。
【図２】図２は従来装置の要部断面図である。
【符号の説明】
１    竪樋
１１    弁座
１２    弁体
１３    弾性体
２    バイパス管
３    貯水槽
４    仕切り板
【図１】
0003759674.tif 000002
【図２】
0003759674.tif 000003